(57)【要約】      （修正有）【課題】ツバを大きく曲げた状態にしても、ツバとベースフレームの間に大きな空間が生じてしまうことなく、またツバとベースフレームの寸法が合わなくなってしまうことなく、ツバに体裁良く装着することができる帽子用眼鏡を提供する。【解決手段】帽子ＨのツバＢに着脱自在に保持されるものであって、帽子ＨのツバＢの横方向に向かって配設されるベースフレーム１と、このベースフレーム１に撥ね上げ自在として回動可能に取り付けられるレンズ２とを有してなり、前記ベースフレーム１のＩＳＯ１７８により測定した曲げ弾性率を３０〜１，０００ＭＰａに設定すると共に、このベースフレーム１の左右両端部にツバ係止体３を設けたものとしている。【選択図】図４
0003151488.tif 000002
【実用新案登録請求の範囲】
【請求項１】
帽子（Ｈ）のツバ（Ｂ）に着脱自在に保持されるものであって、帽子（Ｈ）のツバ（Ｂ）の横方向に向かって配設されるベースフレーム（１）と、このベースフレーム（１）に撥ね上げ自在として回動可能に取り付けられるレンズ（２）とを有してなり、前記ベースフレーム（１）のＩＳＯ１７８により測定した曲げ弾性率を３０〜１，０００ＭＰａに設定すると共に、このベースフレーム（１）の左右両端部にツバ係止体（３）を設けたことを特徴とする帽子用眼鏡。
【請求項２】
前記レンズ（２）の上端縁の左右湾曲部（２ａ、２ａ）の曲率半径（Ｒａ）を７０〜１３０ｍｍにしたことを特徴とする請求項１記載の帽子用眼鏡。
【請求項３】
前記レンズ（２）の上端縁の中央部（２ｂ）に、レンズフレーム（４）を装着し、このレンズフレーム（４）と前記ベースフレーム（１）とをヒンジ（５）を介したものとしたことを特徴とする請求項１記載の帽子用眼鏡。
【請求項４】
前記ツバ係止体（３）を、ベースフレーム（１）とは別体とし、左右方向に移動可能として、ベースフレーム（１）に設けたものとしたことを特徴とする請求項１記載の帽子用眼鏡。
【考案の詳細な説明】
【技術分野】
【０００１】
この考案は、帽子のツバに着脱自在に取り付けられる帽子用眼鏡に関するものである。
【背景技術】
【０００２】
従来、この種の帽子用眼鏡は、図６に示したように、帽子のツバの横方向に向かって配設されるベースフレーム１１と、このベースフレーム１１にヒンジ１２を介して取り付けられると共に、前記ベースフレーム１１に対して回動可能に取り付けられるレンズ装着フレーム１３と、このレンズ装着フレーム１３に装着されてレンズ装着フレーム１３と共に回動可能なレンズ１４とから構成されたものが存在する。そして、前記ベースフレーム１１の左右両端部には、一体形成された帽子係止部１５と、この帽子係止部１５に形成されて帽子のツバ側部が挿入するツバ挿入溝部１６とを有してなるものとしている（特許文献１）。
【０００３】
このような従来の帽子用眼鏡は、帽子係止部１５が左右両端に設けられているため、帽子を被った場合に帽子係止部１５がほとんど視野に入らないので煩わしさがないという優れた効果を有するとしている。
【先行技術文献】
【特許文献】
【０００４】
【特許文献１】実用新案登録第３０７９４１３号公報
【考案の概要】
【考案が解決しようとする課題】
【０００５】
従来の帽子用眼鏡においては、前記ベースフレーム１１は合成樹脂材で形成されているものの、その曲げ弾性率についての記載はないが、通常、ＩＳＯ１７８により測定した曲げ弾性率を１，７００ＭＰａ程度に設定している。これは、帽子用眼鏡のベースフレーム１１としてレンズ１４を支持するのに、充分な強度を有すると共に、帽子のツバの緩やかなカーブに合わせて少しは撓むようにした曲げ弾性率である。
【０００６】
ところで、帽子の種類によっては、デザイン的にツバを大きく曲げたもの（曲率を大きくして曲げたもの）があったり、例えば、野球やゴルフ等のスポーツ用の帽子において、風が強いときや日射しの角度が低いときなど、または単にファッション感覚で、ツバを大きく曲げた状態にして帽子を被ることがある。
【０００７】
しかし、このような場合には、上記従来の帽子用眼鏡では、その大きく曲げたツバに合わせて、ベースフレーム１１を曲げることができず、ツバとベースフレーム１１の間に大きな空間が生じてしまったり、またツバとベースフレーム１１の寸法が合わなくなってしまって、帽子用眼鏡をツバに装着することができなくなったり、また体裁良く装着することができなくなるという問題点を有していた。
【０００８】
そこで、この考案は、上記従来の問題点を解決するものであり、ツバを大きく曲げた状態にしても、ツバとベースフレームの間に大きな空間が生じてしまうことなく、またツバとベースフレームの寸法が合わなくなってしまうことなく、ツバに体裁良く装着することができる帽子用眼鏡を提供することを目的としてなされたものである。
【課題を解決するための手段】
【０００９】
この考案の帽子用眼鏡は、帽子ＨのツバＢに着脱自在に保持されるものであって、帽子ＨのツバＢの横方向に向かって配設されるベースフレーム１と、このベースフレーム１に撥ね上げ自在として回動可能に取り付けられるレンズ２とを有してなり、前記ベースフレーム１のＩＳＯ１７８により測定した曲げ弾性率を３０〜１，０００ＭＰａに設定すると共に、このベースフレーム１の左右両端部にツバ係止体３を設けたものとしている。
【００１０】
そして、この考案の帽子用眼鏡は、前記レンズ２の上端縁の左右湾曲部２ａ、２ａの曲率半径Ｒａを７０〜１３０ｍｍにしたものとしている。
【００１１】
さらに、この考案の帽子用眼鏡は、前記レンズ２の上端縁の中央部２ｂに、レンズフレーム４を装着し、このレンズフレーム４と前記ベースフレーム１とをヒンジ５を介したものとしている。
【００１２】
また、この考案の帽子用眼鏡は、前記ツバ係止体３を、ベースフレーム１とは別体とし、左右方向に移動可能として、ベースフレーム１に設けたものとしている。
【考案の効果】
【００１３】
この考案の帽子用眼鏡は、以上に述べたように構成されているので、ツバを大きく曲げた状態にしても、ツバとベースフレームの間に大きな空間が生じてしまうことなく、またツバとベースフレームの寸法が合わなくなってしまうことなく、ツバに体裁良く装着することができるものとなった。
【図面の簡単な説明】
【００１４】
【図１】この考案の帽子用眼鏡の一実施形態を示す正面図である。
【図２】この考案の帽子用眼鏡の一実施形態を示す平面図である。
【図３】この考案の帽子用眼鏡のレンズの上端縁の左右湾曲部の曲率半径の範囲を示す説明図である。
【図４】この考案の帽子用眼鏡をツバに装着した状態を示す正面図である。
【図５】この考案の帽子用眼鏡をツバに装着した状態においてレンズを回動させて、このレンズを撥ね上げた状態を示す正面図である。
【図６】従来の帽子用眼鏡の一例を示す斜視図である。
【考案を実施するための形態】
【００１５】
以下、この考案の帽子用眼鏡を実施するための形態を、図面に基づいて詳細に説明する。
【００１６】
この考案の帽子用眼鏡は、帽子ＨのツバＢに着脱自在に保持されるものであって、帽子ＨのツバＢの横方向に向かって配設されるベースフレーム１と、このベースフレーム１に撥ね上げ自在として回動可能に取り付けられるレンズ２とを有してなるものとしている。そして、前記ベースフレーム１は、左右両端部にツバ係止体３を設けたものとしている。なお、この考案で眼鏡とは、近眼鏡、老眼鏡、サングラスなど、各種の眼鏡を包含するものとする。
【００１７】
前記ベースフレーム１は、熱可塑性エラストマーなどからなり、上下方向には一直線状に形成するか、図１に示したように、両端部にかけて少し下がるように全体を少し湾曲させた形状にしており、前後方向には図２に示したように、着用者の顔面部分に添って湾曲させた形状にしている。そして、このベースフレーム１は、ＩＳＯ１７８により測定した曲げ弾性率を３０〜１，０００ＭＰａにしたものとしている。さらに、前記ベースフレーム１のＩＳＯ１７８により測定した曲げ弾性率は、３０〜５００ＭＰａにしたものとするのが好ましく、３０〜１５０ＭＰａにしたものとするのがより好ましい。前記曲げ弾性率を３０ＭＰａ未満にすると、ツバ係止体３が柔らかくなりすぎて、帽子ＨのツバＢに保持することができなくなり、前記曲げ弾性率を１，０００ＭＰａを超えるようにすると、ベースフレーム１が硬くなりすぎて、帽子ＨのツバＢの曲率に沿った形状に曲げることができなくなる。
【００１８】
前記レンズ２は、近眼鏡、老眼鏡、サングラスなど、各種の眼鏡に応じた度合や色彩にしており、またレンズの形式を通常は一眼レンズにしているが、レンズフレームに装着するなどして二眼レンズにすることもできる。
【００１９】
さらに、前記レンズ２は、上下方向には図１、３に示したように、上端縁の左右湾曲部２ａ、２ａの曲率半径Ｒａを７０〜１３０ｍｍにしたものにし、前後方向には図２に示したように、そのレンズ２の曲率半径Ｒｂを７３〜１４７ｍｍにして、着用者の顔面部分に添って湾曲させた形状にしている。なお、前記レンズ２は、左右湾曲部２ａ、２ａの曲率半径Ｒａを８０〜９０ｍｍにしたものとするのが好ましく、８５ｍｍにするのがより好ましい。前記レンズ２の左右湾曲部２ａ、２ａの曲率半径Ｒａをこのようにすることにより、前記ベースフレーム１が帽子ＨのツバＢの曲率に沿った形状に曲がったときに、このベースフレーム１に干渉しないようにすることができる。
【００２０】
また、前記レンズ２は、ヒンジを介するなどして、前記ベースフレーム１に直接、撥ね上げ自在として回動可能に取り付けることもできるが、図示したものでは、レンズ２の上端縁の中央部２ｂに、レンズフレーム４を装着し、このレンズフレーム４と前記ベースフレーム１とをヒンジ５を介して回動可能にしたものとしている。このようにすると、ヒンジ５をレンズ２に装着するのに、レンズ２に孔を開けたりしなくてもよいので、レンズ２の強度が低下するようなことはない。また、このレンズフレーム４を、レンズ着脱式のものにすれば、レンズ２を各種の眼鏡に応じたものに取り替えることができる。
【００２１】
前記ツバ係止体３は、ベースフレーム１の左右両端部に一体成形して設けたものとしてもよいが、図示したものでは、ベースフレーム１とは別体とし、左右方向に移動可能として、ベースフレーム１の左右両端部に設けたものとしている。このようにすると、ベースフレーム１の左右両端部のツバ係止体３どうしの間の距離を短くしたり、長くしたりすることができるので、帽子ＨのツバＢの大きさに応じて、そのツバＢの両側部に係止できるように長さ調節をすることができる。
【００２２】
さらに、前記ツバ係止体３は、外側端を折り曲げて上面係止部３ａと下面係止部３ｂを形成したものとし、これら上下面係止部３ａ、３ｂの間を帽子ＨのツバＢの側部の嵌入溝３ｃとしている。そして、この嵌入溝３ｃの壁面は、凹凸形状にして、嵌入した帽子ＨのツバＢの側部を押圧するようにしている。
【００２３】
このように構成されたこの考案の帽子用眼鏡は、次のようにして帽子ＨのツバＢに着脱自在に保持される。
【００２４】
先ず、この考案の帽子用眼鏡のツバ係止体３をベースフレーム１と別体とし、左右方向に移動可能としたものでは、前記ツバ係止体３を左右方向に移動させて、ベースフレーム１の左右両端部のツバ係止体３どうしの間の距離を、帽子ＨのツバＢの大きさに応じたものに調節する。
【００２５】
次に、前記ベースフレーム１の左右両端部のツバ係止体３のいずれか一方を、帽子ＨのツバＢの一側部に係止させ、ベースフレーム１を帽子ＨのツバＢの内面に沿って曲げながら、前記ツバ係止体３の他方を、帽子ＨのツバＢの他側部に係止させる。
【００２６】
すると、前記ベースフレーム１は、図４に示したように、帽子ＨのツバＢの内面にほぼ沿った状態に維持されて、この帽子ＨのツバＢに装着される。したがって、この装着状態では、帽子ＨのツバＢと前記ベースフレーム１の間に大きな空間が生じることなく、眼鏡を帽子に体裁良く装着することができるものになる。さらに、前記ベースフレーム１の両端が、レンズ２の左右湾曲部２ａ、２ａに接近し、これらのベースフレーム１の両端とレンズ２の左右湾曲部２ａ、２ａの間の空間も狭められるので、眼鏡を帽子により体裁良く装着することができるものになる。
【００２７】
さらに、この考案の帽子用眼鏡では、前記装着状態で、レンズ２の下端を指で押し上げれば、図５に示したように、このレンズ２が帽子ＨのツバＢの内面に向かって撥ね上げられ、そのツバＢの内面に接近した状態となるので、両者の間には大きな空間が生じることなく、この状態においても、眼鏡は帽子に体裁良く装着された状態となっている。
【符号の説明】
【００２８】
１  ベースフレーム
２  レンズ
２ａ  左右湾曲部
２ｂ  中央部
３  ツバ係止体
４  レンズフレーム
５  ヒンジ
Ｂ  ツバ
Ｈ  帽子
【図１】
0003151488.tif 000003
【図２】
0003151488.tif 000004
【図３】
0003151488.tif 000005
【図４】
0003151488.tif 000006
【図５】
0003151488.tif 000007
【図６】
0003151488.tif 000008